(57)【要約】【課題】ベッドのキャスタを荷重検出器の載置部上に容易に載置することができるベッドの在床状況検出装置を提供すること。【解決手段】ベッドの在床状況検出装置１は、ベッド20の複数個の脚部22にそれぞれ設けられた各キャスタ23が載置される載置部３を有する荷重検出器２を複数個備える。複数個の荷重検出器２は、ベッド設置面25上に設置された状態で各載置部３上にキャスタ23が載置されてベッド20の各脚部22に掛かる荷重を検出するものである。ベッドの在床状況検出装置１は、複数個の荷重検出器２から出力されるベッド20の荷重に関する信号を用いて、被験者Ｓの在床状況を検出するように構成されている。複数個の荷重検出器２のうち少なくとも１個の荷重検出器２には、該荷重検出器２の位置を示す、ベッド20の寝床部21よりも高く伸びたポール10が付設されている。【選択図】図１
2007151869.tif 000002
【特許請求の範囲】
【請求項１】
ベッドの複数個の脚部にそれぞれ設けられた各ベッド移動用キャスタが載置される載置部を有する複数個の荷重検出器を備え、
前記複数個の荷重検出器は、ベッド設置面上に設置された状態で前記各載置部上に前記キャスタが載置されてベッドの各脚部に掛かる荷重を検出するものであり、
前記複数個の荷重検出器から出力されるベッドの荷重に関する信号を用いて、被験者の在床状況を検出するベッドの在床状況検出装置において、
前記複数個の荷重検出器のうち少なくとも１個の荷重検出器に、該荷重検出器の位置を示す、ベッドの寝床部よりも高く伸びたポールが付設されていることを特徴とするベッドの在床状況検出装置。
【請求項２】
前記ポールの先端部に、ベッドのキャスタが前記載置部上に載置された場合に点灯するランプが設けられている請求項１記載のベッドの在床状況検出装置。
【請求項３】
前記各荷重検出器は、ベッドのキャスタが前記載置部上に載置される際に通過する、前記ベッド設置面から前記載置部上へ進む方向において上り勾配のスロープ面を有している請求項１又は２記載のベッドの在床状況検出装置。
【請求項４】
前記ポールが、前記荷重検出器から出力される信号を電波信号として送信するアンテナとしても機能していることにより、前記荷重検出器に対する信号の伝送がコードレス化されている請求項１〜３のいずれか１項記載のベッドの在床状況検出装置。
【請求項５】
前記各荷重検出器は動作電源を内蔵することにより、各荷重検出器への電力供給がコードレス化されている請求項１〜４のいずれか１項記載のベッドの在床状況検出装置。
【請求項６】
前記ベッドは、前記複数個の脚部として、左前脚部と右前脚部と左後脚部と右後脚部とを有しており、
前記ベッドの左前脚部及び右前脚部に掛かる荷重をそれぞれ検出する左前脚部用荷重検出器及び右前脚部用荷重検出器に、それぞれ前記ポールが付設されている請求項１〜５のいずれか１項記載のベッドの在床状況検出装置。
【請求項７】
前記ポールは伸縮可能である請求項１〜６のいずれか１項記載のベッドの在床状況検出装置。
【請求項８】
前記ポールは可倒式である請求項１〜７のいずれか１項記載のベッドの在床状況検出装置。
【請求項９】
前記ポールは前記荷重検出器から取外し可能である請求項１〜８のいずれか１項記載のベッドの在床状況検出装置。
【請求項１０】
ベッドの脚部に設けられたベッド移動用キャスタが載置される載置部を有するとともに、ベッド設置面上に設置された状態で前記載置部上に前記キャスタが載置されてベッドの脚部に掛かる荷重を検出するベッドの荷重検出器において、
荷重検出器の位置を示す、ベッドの寝床部よりも高く伸びたポールが付設されていることを特徴とするベッドの荷重検出器。
【請求項１１】
前記ポールの先端部に、ベッドのキャスタが前記載置部上に載置された場合に点灯するランプが設けられている請求項１０記載のベッドの荷重検出器。
【請求項１２】
ベッドのキャスタが前記載置部上に載置される際に通過する、前記ベッド設置面から前記載置部上へ進む方向において上り勾配のスロープ面を有している請求項１０又は１１記載のベッドの荷重検出器。
【請求項１３】
前記ポールが、荷重検出器から出力される信号を電波信号として送信するアンテナとしても機能していることにより、荷重検出器に対する信号の伝送がコードレス化されている請求項１０〜１２のいずれか１項記載のベッドの荷重検出器。
【請求項１４】
動作電源を内蔵することにより、電力供給がコードレス化されている請求項１０〜１３のいずれか１項記載のベッドの荷重検出器。
【請求項１５】
前記ポールは伸縮可能である請求項１０〜１４のいずれか１項記載のベッドの荷重検出器。
【請求項１６】
前記ポールは可倒式である請求項１０〜１５のいずれか１項記載のベッドの荷重検出器。
【請求項１７】
前記ポールは取外し可能である請求項１０〜１６のいずれか１項記載のベッドの荷重検出器。
【請求項１８】
請求項１０〜１７のいずれか１項記載の複数個の荷重検出器をベッド設置面上に設置し、
次いで、ベッドの複数個の脚部にそれぞれ設けられた各ベッド移動用キャスタを、対応する荷重検出器の載置部上に載置することを特徴するベッドの設置方法。
【発明の詳細な説明】
【技術分野】
【０００１】
本発明は、例えば、医療機関、介護施設、一般家庭等で使用され、ベッドの寝床部上の被験者の着床、離床、在床位置、体動の激しさ、体動の種類等の在床状況を検出する、ベッドの在床状況検出装置、及びベッドの荷重検出器に関する。
【背景技術】
【０００２】
ベッドの寝床部上に在床している病人、高齢者、被介護者、乳幼児等の被験者の在床、離床、在床位置等の在床状況を検出するための方法として、次のようなものが知られている。
【０００３】
すなわち、ベッドの前後左右の各脚部に掛かる荷重を荷重検出器により検出し、これらの荷重に基づいてベッド寝床部上の被験者の重心位置（在床位置）を検出する。そして、この重心位置に基づいて被験者のベッド寝床部上での移動距離、運動速度、運動回数等を演算し、その結果に基づいて被験者の在床状況を検出する方法である（例えば、特許文献１及び２参照）。
【０００４】
また、特開２０００−１０５８８４号公報には、ベッドの各脚部に掛かる荷重を検出する荷重検出器からの荷重検出用出力電圧に基づいて被験者の在床や離床を検出する方法が開示されている（特許文献３参照）。
【０００５】
これらの方法では、いずれも、ベッドの前後左右の各脚部に掛かる荷重を荷重検出器により検出するために、ベッドの各脚部に設けられた各ベッド移動用キャスタを、対応する荷重検出器の載置部上に載置する必要がある。
【特許文献１】特許第３０９８９９７号公報
【特許文献２】特許第３５２９３３２号公報
【特許文献３】特開２０００−１０５８８４号公報
【発明の開示】
【発明が解決しようとする課題】
【０００６】
しかしながら、ベッドのキャスタを荷重検出器の載置部上に載置するために、ベッドを荷重検出器に向かって移動させると、その途中で、荷重検出器がベッドの下に隠れてベッド移動作業者からは荷重検出器が見えなくなってしまう。そのため、ベッドのキャスタの荷重検出器載置部上への載置操作が非常に困難になるという難点があった。
【０００７】
本発明は、上述した事情に鑑みてなされたもので、その目的は、ベッドのキャスタを荷重検出器の載置部上に容易に載置することができるベッドの在床状況検出装置、この装置に用いられるベッドの荷重検出器、この荷重検出器を用いたベッドの設置方法を提供することにある。
【課題を解決するための手段】
【０００８】
本発明は以下の手段を提供する。ここで本明細書では、ベッドの寝床部上に被験者が仰向きで就寝する状態において、被験者の頭側をベッドの前側、被験者の足側をベッドの後側、被験者の左側をベッドの左側、及び被験者の右側をベッドの右側という。
【０００９】
［１］  ベッドの複数個の脚部にそれぞれ設けられた各ベッド移動用キャスタが載置される載置部を有する複数個の荷重検出器を備え、
前記複数個の荷重検出器は、ベッド設置面上に設置された状態で前記各載置部上に前記キャスタが載置されてベッドの各脚部に掛かる荷重を検出するものであり、
前記複数個の荷重検出器から出力されるベッドの荷重に関する信号を用いて、被験者の在床状況を検出するベッドの在床状況検出装置において、
前記複数個の荷重検出器のうち少なくとも１個の荷重検出器に、該荷重検出器の位置を示す、ベッドの寝床部よりも高く伸びたポールが付設されていることを特徴とするベッドの在床状況検出装置。
【００１０】
［２］  前記ポールの先端部に、ベッドのキャスタが前記載置部上に載置された場合に点灯するランプが設けられている前項１記載のベッドの在床状況検出装置。
【００１１】
［３］  前記各荷重検出器は、ベッドのキャスタが前記載置部上に載置される際に通過する、前記ベッド設置面から前記載置部上へ進む方向において上り勾配のスロープ面を有している前項１又は２記載のベッドの在床状況検出装置。
【００１２】
［４］  前記ポールが、前記荷重検出器から出力される信号を電波信号として送信するアンテナとしても機能していることにより、前記荷重検出器に対する信号の伝送がコードレス化されている前項１〜３のいずれか１項記載のベッドの在床状況検出装置。
【００１３】
［５］  前記各荷重検出器は動作電源を内蔵することにより、各荷重検出器への電力供給がコードレス化されている前項１〜４のいずれか１項記載のベッドの在床状況検出装置。
【００１４】
［６］  前記ベッドは、前記複数個の脚部として、左前脚部と右前脚部と左後脚部と右後脚部とを有しており、
前記ベッドの左前脚部及び右前脚部に掛かる荷重をそれぞれ検出する左前脚部用荷重検出器及び右前脚部用荷重検出器に、それぞれ前記ポールが付設されている前項１〜５のいずれか１項記載のベッドの在床状況検出装置。
【００１５】
［７］  前記ポールは伸縮可能である前項１〜６のいずれか１項記載のベッドの在床状況検出装置。
【００１６】
［８］  前記ポールは可倒式である前項１〜７のいずれか１項記載のベッドの在床状況検出装置。
【００１７】
［９］  前記ポールは前記荷重検出器から取外し可能である前項１〜８のいずれか１項記載のベッドの在床状況検出装置。
【００１８】
［１０］  ベッドの脚部に設けられたベッド移動用キャスタが載置される載置部を有するとともに、ベッド設置面上に設置された状態で前記載置部上に前記キャスタが載置されてベッドの脚部に掛かる荷重を検出するベッドの荷重検出器において、
荷重検出器の位置を示す、ベッドの寝床部よりも高く伸びたポールが付設されていることを特徴とするベッドの荷重検出器。
【００１９】
［１１］  前記ポールの先端部に、ベッドのキャスタが前記載置部上に載置された場合に点灯するランプが設けられている前項１０記載のベッドの荷重検出器。
【００２０】
［１２］  ベッドのキャスタが前記載置部上に載置される際に通過する、前記ベッド設置面から前記載置部上へ進む方向において上り勾配のスロープ面を有している前項１０又は１１記載のベッドの荷重検出器。
【００２１】
［１３］  前記ポールが、荷重検出器から出力される信号を電波信号として送信するアンテナとしても機能していることにより、荷重検出器に対する信号の伝送がコードレス化されている前項１０〜１２のいずれか１項記載のベッドの荷重検出器。
【００２２】
［１４］  動作電源を内蔵することにより、電力供給がコードレス化されている前項１０〜１３のいずれか１項記載のベッドの荷重検出器。
【００２３】
［１５］  前記ポールは伸縮可能である前項１０〜１４のいずれか１項記載のベッドの荷重検出器。
【００２４】
［１６］  前記ポールは可倒式である前項１０〜１５のいずれか１項記載のベッドの荷重検出器。
【００２５】
［１７］  前記ポールは取外し可能である前項１０〜１６のいずれか１項記載のベッドの荷重検出器。
【００２６】
［１８］  前項１０〜１７のいずれか１項記載の複数個の荷重検出器をベッド設置面上に設置し、
次いで、ベッドの複数個の脚部にそれぞれ設けられた各ベッド移動用キャスタを、対応する荷重検出器の載置部上に載置することを特徴するベッドの設置方法。
【発明の効果】
【００２７】
本発明は以下の効果を奏する。
【００２８】
［１］の発明では、複数個の荷重検出器のうち少なくとも１個の荷重検出器に、該荷重検出器の位置を示す、ベッドの寝床部よりも高く伸びたポールが付設されている。したがって、ベッドの設置時に荷重検出器がベッドの下に隠れてその位置を知ることが困難な場合であっても、ベッド移動作業者はベッドの寝床部よりも高く伸びたポールにより荷重検出器の位置を知ることができる。そのため、このポールを目印にしてベッドを移動させることにより、ベッドのキャスタを荷重検出器の近傍まで確実に移動させることができ、もって、ベッドのキャスタを荷重検出器の載置部上に容易に載置することができる。
【００２９】
［２］の発明では、ベッドのキャスタが荷重検出器の載置部上に載置されたことをランプの点灯によりベッド移動作業者に対して知らせることができる。
【００３０】
［３］の発明では、各荷重検出器はスロープ面を有しているので、ベッドのキャスタを荷重検出器の載置部上に載置する際に、キャスタを載置部上を通過（走行）させることにより、ベッドのキャスタを荷重検出器の載置部上に更に容易に載置することができる。
【００３１】
［４］の発明では、各荷重検出器に対する信号の伝送がコードレス化されているので、荷重検出器への入力信号線や荷重検出器からの出力信号線がベッドの移動時に邪魔になることはない。そのため、ベッドのキャスタを荷重検出器の載置部上に更に容易に載置することができる。しかも、もし仮に荷重検出器に外部から信号線が接続されている場合には、ベッドのキャスタがこの信号線上を乗り越えることにより該信号線が断線する不具合が生じるが、本発明では、そのような不具合は生じない。
【００３２】
［５］の発明では、荷重検出器への電力供給がコードレス化されているので、荷重検出器への外部電源からの電力供給線がベッドの移動時に邪魔になることはない。そのため、ベッドのキャスタを荷重検出器の載置部上に更に容易に載置することができる。さらに、もし仮に荷重検出器に外部電源から電力供給線が接続されている場合には、ベッドのキャスタがこの電力供給線を乗り越えることにより該電力供給線が断線する不具合が生じるが、本発明では、そのような不具合は生じない。
【００３３】
［６］の発明では次の効果を奏する。すなわち、一般に、医療機関や介護施設等ではナースコールボタンや照明の点灯スイッチ等の所定の器具は部屋の壁際に設置されているので、ベッドの前側（即ち、被験者の頭側）を壁際にしてベッドを設置する場合が多い。また、ベッドの移動は通常、一人で行われるので、ベッドを設置する場合には、ベッド移動作業者はベッドの後側（即ち被験者の足側）からベッドを押して移動させている。したがって、ベッドの左前脚部及び右前脚部に掛かる荷重をそれぞれ検出する左前脚部用荷重検出器及び右前脚部用荷重検出器に、それぞれポールを付設することにより、一人でベッドを設置する時にこれら両荷重検出器がベッドの下に隠れた場合であっても、これら両荷重検出器の位置をそれぞれポールにより知ることができる。そのため、ベッドの左前キャスタ及び右前キャスタをそれぞれ対応する荷重検出器の近傍まで確実に移動させことができ、もって、ベッド移動作業者が一人の場合であっても、ベッドのキャスタを荷重検出器の載置部上に容易に載置することができる。
【００３４】
［７］の発明では、ポールを必要としない場合にポールを縮めることができる。こうすることにより、被験者がベッド上に乗り降する際（即ち着床や離床の際）や、医師、看護師、介護者等がベッド上の被験者に対して治療、診察、検査、介護等をする際にポールが邪魔になる不具合を防止できる。
【００３５】
［８］の発明では、ポールを必要としない場合にポールを倒すことできるので、上述の不具合を確実に防止できる。
【００３６】
［９］の発明では、ポールを必要としない場合にポールを取り外すことができるので、上述の不具合を確実に防止できる
［１０］〜［１７］の発明では、上記［１］〜［９］のいずれかの発明に係るベッドの在床状況検出装置に好適に用いられるベッドの荷重検出器を提供できる。
【００３７】
［１８］の発明では、ベッドの複数個の脚部にそれぞれ設けられた各ベッド移動用キャスタを、対応する荷重検出器の載置部上に載置することにより、ベッドをベッド設置面上に設置する場合において、ベッドの各キャスタを対応する荷重検出器の載置部上に容易に載置することができる。
【発明を実施するための最良の形態】
【００３８】
次に、本発明の一実施形態について図面を参照して以下に説明する。
【００３９】
図１において、（１）は、本発明の一実施形態に係るベッドの在床状況検出装置、（20）はベッドである。
【００４０】
ベッド（20）は、医療施設（例：病院）、介護施設（看護施設を含む。以下同じ。）、高齢者施設、一般家庭等で使用されるものであり、その寝床部（21）は平面視四角形状（詳述すると長方形状）に形成されている。そして、このベッド（20）は、病室、診察室、検査室、介護室、寝室等における床面等からなるベッド設置面（25）上に設置されるものである。
【００４１】
ここで本明細書では、説明の便宜上、上述したように、図１及び図２に示すように、ベッド（20）の寝床部（21）上に被験者（Ｓ）が仰向きで就寝する状態において、被験者（Ｓ）の頭側をベッド（20）の前側、被験者（Ｓ）の足側をベッド（20）の後側、被験者（Ｓ）の左側をベッド（20）の左側、及び被験者（Ｓ）の右側をベッド（20）の右側という。
【００４２】
ベッド（20）は、その寝床部（21）を所定の高さ位置に略水平状に支持する前後左右の４個の脚部（22）…を有している。これら４個の脚部（22）…の下端部には、それぞれ、回転自在なベッド移動用キャスタ（23、23、23、23）が設けられている。なお本発明では、ベッド（20）の各脚部（22）はベッド移動用キャスタ（23）からなるものであっても良い。
【００４３】
このベッド（20）の寝床部（21）上には、被験者（Ｓ）として、病人、高齢者、被介護者（被看護者を含む）をはじめ、健康人、乳幼児等が、睡眠、休息、療養、診察、検査等のために仰向き姿勢等で在床する。
【００４４】
本実施形態のベッドの在床状況検出装置（１）は、４個の荷重検出器（２、２、２、２）と、外部演算器（15）とを備えており、４個の荷重検出器（２、２、２、２）から出力されるベッド（20）の荷重に関する信号を用いて、被験者（Ｓ）の在床状況を検出するものである。
【００４５】
この在床状況検出装置（１）により検出される被験者（Ｓ）の在床状況としては、ベッド寝床部（21）上の被験者（Ｓ）の着床、離床、在床位置、体動の激しさ、寝返り、体動の種類、体動の頻度、在床姿勢等が挙げられる。
【００４６】
演算器（15）は、コンピュータ等からなり、４個の荷重検出器（２、２、２、２）から出力されるベッド（20）の荷重に関する信号に基づいて、被験者（Ｓ）の在床状況を演算するものである。
【００４７】
この演算器（15）は、通常、４個の荷重検出器（２、２、２、２）とは異なる場所に設置されるものであり、例えば、ナースセンターや監視室に設置されるものである。そして、この演算器（15）により演算された結果（即ち在床状況）は、表示部（図示せず）にリアルタイムに表示される。
【００４８】
各荷重検出器（２）は、ベッド設置面（25）上に設置されて使用されるものであり、ベッド設置面（25）上に設置された状態で、ベッド（20）の各脚部（22）（詳述すると各キャスタ（23））に掛かる荷重を検出するものである。
【００４９】
各荷重検出器（２）は、ロードセル等からなり、図１〜図３に示すように、ベッド（20）の対応するキャスタ（23）が載置される板状の載置部（３）と、平面視略ロ字状の基板部（４）とを具備している。そして、荷重検出器（２）がベッド設置面（25）上に設置された状態で、その載置部（３）上にベッド（20）の対応するキャスタ（23）が載置されることにより、ベッド（20）の対応する脚部（22）に掛かる荷重が検出されるように構成されている。
【００５０】
４個の荷重検出器（２、２、２、２）のうち、ベッド（20）の左前脚部及び右前脚部に掛かる荷重をそれぞれ検出する左前脚部用荷重検出器（2A）及び右前脚部用荷重検出器（2A）には、図１に示すように、それぞれ、荷重検出器（2A）の位置を示す金属製ポール（10）が、ベッド（20）の寝床部（21）よりも高く伸びて付設されている。
【００５１】
このポール（10）は、図３及び図４に示すようにテレスコピック式に伸縮可能なものである。
【００５２】
さらに、このポール（10）は、図５に示すように、荷重検出器（2A）から取外し可能なものである。すなわち、荷重検出器（2A）の基板部（４）の外側部（即ち、基板部（４）におけるベッド（20）外側方に向いた側部）には、断面円形状のポール取付け孔（4a）が設けられている。一方、ポール（10）の下端部（10a）は略Ｌ字状に屈曲している。そして、このポール（10）の屈曲した下端部（10a）の先端部がポール取付け孔（4a）内に抜出可能に且つ回転可能にきつく挿入されることにより、ポール（10）が荷重検出器（2A）の基板部（４）の外側部に取外し可能に取り付けられている。このポール（10）を荷重検出器（2A）から取り外す場合には、ポール（10）の下端部（10a）を手で掴んで該ポール（10）の下端部（10a）の先端部をポール取付け孔（4a）内から強制的に抜出することにより、ポール（10）の取外しが行われる。
【００５３】
なお本発明では、ポール（10）の下端部（10a）の先端部がポール取付け孔（4a）から不慮に抜出しないようにするため、ロック機構が荷重検出器（2A）に備えられていても良いし、ポール（10）の下端部（10a）の先端部がねじ等の止着部材（図示せず）により取外し可能に荷重検出器（2A）に止着されていても良い。
【００５４】
さらに、このポール（10）は可倒式のものである。すなわち、図４に示すように、このポール（10）は、荷重検出器（2A）の前後方向（長さ方向）に沿うように水平状に倒れるように、荷重検出器（2A）の基板部（４）の外側部に取り付けられている。本実施形態では、上述したように、ポール（10）の屈曲した下端部（10a）の先端部がポール取付け孔（4a）内に回転可能に挿入されていることから、ポール（10）を倒す場合には、ポール（10）を手で掴んで該ポール（10）に倒し方向の力を加えると、ポール（10）がその下端部（10a）を回転軸としてポール取付け孔（4a）内で回転して、ポール（10）が倒れるように構成されている。
【００５５】
一方、４個の荷重検出器（２、２、２、２）のうち、ベッド（20）の左後脚部及び右後脚部に掛かる荷重をそれぞれ検出する左後脚部用荷重検出器（2B）及び右後脚部用荷重検出器（2B）には、上述した左前脚部用荷重検出器（2A）及び右前脚部用荷重検出器（2A）と同じく、それぞれポール（10）が付設されているが、このポール（10）はベッド（20）の寝床部（21）よりも高く伸びていない。すなわち、このポール(10)はこれを縮めた状態のものである。
【００５６】
４個の荷重検出器（２、２、２、２）の構成について詳述すると、次のとおりである。
【００５７】
各荷重検出器（２）の載置部（３）は、基板部（４）の前側部に片持ち状に略水平に支持されている。この支持状態において、載置部（３）の先端部（即ち自由端部）は基板部（４）の後側部の近傍に配置されている。一方、基板部（４）の後側部の上面（4b）は、図３に示すように、ベッド（20）のキャスタ（23）が載置部（３）上に載置される際に通過する、ベッド設置面（25）から載置部（３）上へ進む方向において上り勾配のスロープ面に形成されている。
【００５８】
また、各荷重検出器（２）は、図２に示すように、載置部（３）の歪みを検出する歪み検出センサ（５）を備えている。この歪み検出センサ（５）は、例えば、歪みゲージからなるものであって載置部（３）の下面に装着されている。
【００５９】
さらに、各荷重検出器（２）は、その動作を制御する制御部（６）を備えている。この制御部（６）は、歪み検出センサ（５）からの出力電圧等の出力信号を増幅する増幅部、該増幅部で増幅された信号をアナログ信号からデジタル信号に変換するＡ／Ｄ変換部等を有しており、荷重に関する信号を制御するものとなされている。
【００６０】
さらに、各荷重検出器（２）は、無線通信可能なアンテナ（８）を有する無線通信部（７）を備えている。この無線通信部（７）は、制御部（６）から送られた、ベッド（10）の脚部に掛かる荷重に関する信号を、電波信号としてアンテナ（８）から送信するものである。これにより、各荷重検出器（２）に対する信号の伝送がコードレス化されている。すなわち、各荷重検出器（２）には外部への出力信号線や外部からの入力信号線等の外部信号線は一切接続されておらず、荷重検出器（２）に対する信号の伝送は全て無線で行われるように構成されている。
【００６１】
なお、この無線通信部（７）のアンテナ（８）から送信される信号としては、制御部（６）で制御された荷重に関する信号等が挙げられ、具体的には、歪みゲージ等の歪み検出センサ（５）からの出力電圧をＡ／Ｄ変換した信号等が挙げられる。
【００６２】
さらに、４個の荷重検出器（２、２、２、２）のアンテナ（８、８、８、８）のうち、左前脚部用荷重検出器（2A）及び右前脚部用荷重検出器（2A）のアンテナ（８）は、それぞれ、荷重検出器（2A）の位置を示すポール（10）からなる。すなわち換言すると、左前脚部用荷重検出器（2A）と右前脚部用荷重検出器（2A）のポール（10）は、それぞれ、荷重検出器（2A）の位置を示す目的の他に、更に荷重検出器（2A）の無線通信用アンテナ（８）としての機能も有している。
【００６３】
また、左前脚部用荷重検出器（2A）及び右前脚部用荷重検出器（2A）のうちいずれか１個の荷重検出器（2A）に搭載された無線通信部（７）は、荷重に関する信号を電波信号としてアンテナ（８）から演算器（15）に送信するように構成されている。本実施形態では、このように、演算器（15）への信号送信機能を有する無線通信部（７）を搭載した荷重検出器（10A）を「親機」という。
【００６４】
一方、４個の荷重検出器（２、２、２、２）のうち親機を除いた３個の荷重検出器（２、２、２）のそれぞれに搭載された無線通信部（７）は、荷重に関する信号を電波信号としてアンテナ（８）から親機に送信するように構成されている。本実施形態では、このように、親機への信号送信機能を有する無線通信部（７）を搭載した３個の荷重検出器（２、２、２）を「子機」という。
【００６５】
各子機のアンテナ（８）から送信された電波信号は、親機のアンテナ（８）で受信される。そして、受信された電波信号は親機の無線通信部（７）に送られたのち、親機のアンテナ（８）から演算器（15）に親機の電波信号と一緒に送信される。送信された電波信号は演算器（15）に搭載された無線通信部のアンテナ（16）で受信される。そして、この受信された信号に基づいて演算器（15）において所定の演算が行われる。
【００６６】
図１に示すように、子機と親機との距離は短いので、子機のアンテナ（８）は短くなっており、一方、親機と演算器（15）との距離は長いので、親機のアンテナ（８）は長くなっている。本実施形態では、子機のアンテナ（８）は、親機のアンテナ（８）と同一構造である。すなわち、子機のアンテナ（８）は、伸縮可能で且つ取外し可能なものであり、更に可倒式のものである。したがって、子機のアンテナ（８）をベッド（20）の寝床部（21）よりも高く伸ばすことにより、子機のアンテナ（８）を子機の位置を示すポール（10）としても機能させることができる。
【００６７】
４個の荷重検出器（２、２、２、２）のうち、左前脚部用荷重検出器（2A）と右前脚部用荷重検出器（2A）は、それぞれ、そのアンテナ（８）をベッド（20）の寝床部（21）よりも高く伸ばした状態で使用されて、そのアンテナ（８）は荷重検出器（2A）の位置を示すポール（10）として機能され、一方、左後脚部用荷重検出器（2B）と右後脚部用荷重検出器（2B）は、それぞれ、そのアンテナ（８）を縮ませた状態で使用される。
【００６８】
また、各荷重検出器（２）には、その動作に必要な電源、すなわち、歪み検出センサ（５）、制御部（６）、無線通信部（８）等の動作に必要な電源（動作電源）（９）として、乾電池、蓄電池、二次電池等の電池を内蔵（搭載）している。これにより、各荷重検出器（２）への電力供給がコードレス化されている。すなわち、各荷重検出器（２）には外部電源から電力を供給する電力供給線は接続されておらず、各荷重検出器（２）に内蔵された電源（９）により各荷重検出器（２）が動作するように構成されている。
【００６９】
ここで、上述したように、各荷重検出器（２）に対する信号の伝送がコードレス化されている上、更に、各荷重検出器（２）への電力供給がコードレス化されているので、各荷重検出器（２）は、外部との接続線を一切備えていないフルコードレスなものとなっている。
【００７０】
また、各ポール（10）の先端部には、ベッド（20）の対応するキャスタ（23）が荷重検出器（２）の載置部（３）上に載置された場合に点灯するランプ（17）が設けられている。すなわち、各荷重検出器（２）は、動作電源（９）からランプ（17）への電力供給を、載置部（３）に掛かる荷重の大きさに応じてＯＮ／ＯＦＦ可能なスイッチ（図示せず）を備えている。そして、各荷重検出器（２）は、載置部（３）上にベッド（20）の対応するキャスタ（23）が載置されて該載置部（３）に所定の荷重以上、例えば１４７Ｎ（１５ｋｇｆ）以上の荷重が掛かることにより、スイッチがＯＮになってランプ（17）が点灯し、一方、載置部（３）上からキャスタ（23）が降ろされて該載置部（３）に掛かる荷重が上記の所定荷重未満になることにより、スイッチがＯＦＦになってランプ（17）が消灯するように構成されている。
【００７１】
次に、ベッド（20）の各キャスタ（23）を、対応する荷重検出器（２）の載置部（３）上に載置することにより、ベッド（20）をベッド設置面（25）上に設置する、ベッド（20）の設置方法について、以下に説明する。
【００７２】
まず、図１及び図２に示すように、ベッド設置面（25）上における所定位置に、４個の荷重検出器（２、２、２、２）を設置する。このとき、４個の荷重検出器（２、２、２、２）のうち左前脚部用荷重検出器（2A）及び右前脚部用荷重検出器（2A）のそれぞれのアンテナ兼ポール（10）を、予めベッド（20）の寝床部（21）よりも高く伸ばしておく。一方、残りの２個の荷重検出器（2B）（2B）のそれぞれのアンテナ兼ポール（10）は縮めておく。
【００７３】
次いで、ベッド移動作業者がベッド（20）の後側（即ち被験者（Ｓ）の足側）に立ってベッド（20）の後側からベッド（20）を前方へ押して、４個の荷重検出器（２、２、２、２）に向かって移動させる。この途中で、ベッド移動作業者からは４個の荷重検出器（２、２、２、２）がベッド（20）の下に隠れることで見えなくなる。このとき、４個の荷重検出器（２、２、２、２）のうち、左後脚部用荷重検出器（2B）と右後脚部用荷重検出器（2B）については、ベッド移動作業者の近くの位置にあるので、その上体を屈めることで容易に見ることができ、その位置を知ることができるが、一方、左前脚部用荷重検出器（2A）と右前脚部用荷重検出器（2A）については、ベッド移動作業者から遠い位置にあるので、上体を屈めてもなかなか見ることができず、その位置を知ることは極めて困難である。
【００７４】
しかしながら、本実施形態では、両荷重検出器（2A、2A）のポール（10、10）がそれぞれベッド（20）の寝床部（21）よりも高く伸びているので、この両ポール（10、10）がベッド（20）で隠れることはない。そこで、この両ポール（10、10）を目印にしてベッド（20）を移動させる。こうすることにより、ベッド（20）の各キャスタ（23）を、対応する荷重検出器（２）の近傍まで確実に移動させることができる。
【００７５】
こうして、ベッド（20）の各キャスタ（23）を、対応する荷重検出器（２）の近傍まで移動させたら、各キャスタ（23）を対応する荷重検出器（２）のスロープ面（4b）上を通過（走行）させて載置部（３）上に載置する。すると、ポール（10）の先端部のランプ（17）が点灯し、これにより、ベッド移動作業者は載置部（３）上にキャスタ（23）が正確に載置されたことを知ることができる。
【００７６】
以上の操作により、ベッド（20）の設置が完了する。
【００７７】
而して、本実施形態のベッドの在床状況検出装置（１）には次の利点がある。
【００７８】
すなわち、ベッドの在床状況検出装置（１）における４個の荷重検出器（２、２、２、２）のうち左前脚部用荷重検出器（2A）及び右前脚部用荷重検出器（2A）には、それぞれ、荷重検出器（2A）の位置を示す、ベッド（20）の寝床部（21）よりも高く伸びたポール（10）が付設されている。したがって、ベッド（20）の設置時に両荷重検出器（2A、2A）がベッド（１）の下に隠れてその位置を知ることが困難な場合であっても、ベッド移動作業者はポール（10、10）により両荷重検出器（2A、2A）の位置を知ることができる。そのため、このポール（10、10）を目印にしてベッド（20）を移動させることにより、ベッド（20）の各キャスタ（23）を、対応する荷重検出器（２）の近傍まで確実に移動させることができ、もって、ベッド（20）の各キャスタ（23）を対応する荷重検出器（２）の載置部（３）上に容易に載置することができる。
【００７９】
なお本発明では、ポール（10）のベッド寝床部（21）からの高さは、例えば、１００〜８００ｍｍ（特に好ましくは２５０〜６５０ｍｍ）の範囲に設定されることが望ましい。ただし本発明では、ポール（10）のベッド寝床部（21）からの高さはこの範囲であることに限定されるものではない。
【００８０】
さらに、ポール（10）の先端部にベッド（20）のキャスタ（23）が載置部（３）上に載置された場合に点灯するランプ（17）が設けられているので、ベッド（20）のキャスタ（23）が荷重検出器（２）の載置部（３）上に載置されたことをこのランプ（20）の点灯によりベッド移動作業者に対して知らせることができる。このとき、ポール（10）はベッド（20）の寝床部（21）よりも高く伸びていることから、その先端部のランプ（17）がベッド（20）の寝床部（21）により隠れて見えなくなる虞はない。そのため、ベッド移動作業者に対して確実に知らせることができる。
【００８１】
さらに、各荷重検出器（２）において、基板部（４）の後側部の上面（4b）がスロープ面に形成されていることから、ベッド（20）のキャスタ（23）を載置部（３）上に載置する際にキャスタ（23）をスロープ面（4b）上を通過（走行）させることにより、ベッド（20）のキャスタ（23）を荷重検出器（２）の載置部（３）上に更に容易に載置することができる。
【００８２】
さらに、ポール（10）が、各荷重検出器（２）から出力される信号を電波信号として送信するアンテナ（８）としても機能していることにより、各荷重検出器（２）に対する信号の伝送がコードレス化されているので、各荷重検出器（２）への入力信号線や各荷重検出器（２）からの出力信号線がベッド（20）の移動時に邪魔になることはない。そのため、ベッド（20）のキャスタ（23）を荷重検出器（２）の載置部（３）上に更に容易に載置することができる。しかも、もし仮に荷重検出器（２）に外部から信号線が接続されている場合には、ベッド（20）のキャスタ（23）がこの信号線上を乗り越えることにより該信号線が断線する不具合が生じるが、本実施形態では、そのような不具合は生じない。
【００８３】
さらに、各荷重検出器（２）はその動作電源（９）を内蔵することにより、各荷重検出器（２）への電力供給がコードレス化されているので、各荷重検出器（２）への電力供給線がベッド（20）の移動時に邪魔になることはない。そのため、ベッド（20）のキャスタ（23）を荷重検出器（２）の載置部（３）上に更に容易に載置することができる。しかも、もし仮に荷重検出器（２）に外部電源から電力供給線が接続されている場合には、ベッド（20）のキャスタ（23）がこの電力供給線を乗り越えることにより該電力供給線が断線する不具合が生じるが、本実施形態では、そのような不具合は生じない。
【００８４】
さらに、４個の荷重検出器（２、２、２、２）のうち左前脚部用荷重検出器（2A）及び右前脚部用荷重検出器（2A）に、それぞれ、ベッド寝床部（21）よりも高く伸びたポール（10）が付設されているので、次の利点がある。すなわち、一般に、医療機関や介護施設等ではナースコールボタンや照明の点灯スイッチ等の所定の器具は部屋の壁際に設置されているので、ベッド（20）の前側（即ち、被験者（Ｓ）の頭側）を壁際にしてベッド（20）を設置する場合が多い。また、ベッド（20）の移動は通常、一人で行われるので、ベッド（20）を設置する場合には、ベッド移動作業者はベッド（20）の後側（即ち被験者（Ｓ）の足側）からベッド（20）を押して移動させている。したがって、左前脚部用荷重検出器（2A）及び右前脚部用荷重検出器（2A）にそれぞれポール（10）を付設することにより、一人でベッド（20）を設置する時にこれら両荷重検出器（2A、2A）がベッド（20）の下に隠れた場合であっても、これら両荷重検出器（2A、2A）の位置をそれぞれポール（20、20）により知ることができる。そのため、ベッド（20）の各キャスタ（23）を対応する荷重検出器（２）の近傍まで確実に移動させことができ、もって、ベッド移動作業者が一人の場合であっても、ベッド（20）のキャスタ（23）を荷重検出器（２）の載置部（３）上に容易に載置することができる。
【００８５】
さらに、ポール（10）は伸縮可能であるから、ポール（10）を必要としない場合にはポール（10）を縮めることができる。こうすることにより、被験者（Ｓ）がベッド（20）上に乗り降する際（即ち着床や離床の際）や、医師、看護師、介護者等がベッド（20）上の被験者（Ｓ）に対して治療、診察、検査、介護等をする際にポール（10）が邪魔になる不具合を防止できる。
【００８６】
さらに、ポール（10）は可倒式であるから、ポール（10）を必要としない場合にはポール（10）を倒すことできる。こうすることにより、上述の不具合を確実に防止できる。
【００８７】
さらに、ポール（10）は取外し可能であるから、ポール（10）を必要としない場合にはポール（10）を取り外すことができる。こうすることにより、上述の不具合を更に確実に防止できる。
【００８８】
以上で本発明の一実施形態について説明したが、本発明は上記実施形態に示したものに限定されるものではなく、様々に設定変更可能である。
【００８９】
例えば、上記実施形態では、４個の荷重検出器（２、２、２、２）のうち左前脚部用荷重検出器（2A）と右前脚部用荷重検出器（2A）にそれぞれベッド（20）の寝床部（21）よりも高く伸びたポール（10）が付設されているが、本発明では、４個の荷重検出器（２、２、２、２）のうちのいずれか１個の荷重検出器のみこのようなポール（10）が付設されていても良いし、２個や３個の荷重検出器にそれぞれこのようなポール（10）が付設されていても良いし、全ての荷重検出器にそれぞれこのようなポール（10）が付設されていても良い。
【産業上の利用可能性】
【００９０】
本発明は、医療機関、介護施設、一般家庭等で使用され、ベッドの寝床部上の被験者の着床、離床、在床位置、体動の激しさ、体動の種類等の在床状況を検出する、ベッドの在床状況検出装置、及びベッドの荷重検出器に利用可能である。
【図面の簡単な説明】
【００９１】
【図１】本発明の一実施形態に係るベッドの在床状況検出装置を使用状態で示す斜視図である。
【図２】同在床状況検出装置の荷重検出器をベッド設置面上に設置した状態の平面図である。
【図３】同在床状況検出装置の荷重検出器を示す斜視図である。
【図４】同在床状況検出装置の荷重検出器のポールを縮めた状態の斜視図である。
【図５】同在床状況検出装置の荷重検出器のポールを取り外した状態の斜視図である。
【符号の説明】
【００９２】
１…ベッドの在床状況検出装置
２…ベッドの荷重検出器
2A…左前脚部（又は右前脚部）用荷重検出器
３…載置部
４…基板部
4b…スロープ面
５…歪み検出センサ
７…無線通信部
８…アンテナ
９…動作電源
10…ポール
15…演算器
17…ランプ
20…ベッド
21…寝床部
22…脚部
23…キャスタ
25…ベッド設置面
Ｓ…被験者
【図１】
2007151869.tif 000003
【図２】
2007151869.tif 000004
【図３】
2007151869.tif 000005
【図４】
2007151869.tif 000006
【図５】
2007151869.tif 000007